(57)【特許請求の範囲】
【請求項１】
構築物の長手方向に沿って、作業の進行に伴って逐次取り付けられる一対のハンガーレールを備え、該一対のハンガーレールのそれぞれに少なくとも一組の吊持機が移動可能に装着されてなり、上記吊持機のそれぞれには該吊持機に対して水平面に沿って回転可能に連結された第２の吊持機が装着され、この第２の吊持機によって上記ハンガーレールに対して立体交差する少なくとも一対のガイドレールが移動可能に吊持されてなる移動足場装置において、
上記各ガイドレールには、ガイドレール上を水平方向に移動可能に支持される一対のスライド部材が設けられ、該スライド部材には垂直方向に配設された垂直支持材を上下に昇降し得る昇降機が連結されてなり、該昇降機によって上下に昇降自在に支持された上記垂直支持材間を水平梁材によって連結し、該水平梁材間に足場板を支持してなることを特徴とする移動足場装置。
【発明の詳細な説明】
【０００１】
【発明の属する技術分野】
本発明は、この発明は移動足場装置に関し、更に詳しくは、橋梁、高架道路の床裏面、大型建築物、例えば体育館等の補修，塗装などに代表されるメンテナンス作業に適した移動足場装置に関する。
【０００２】
【従来の技術】
橋梁等で代表される構築物のメンテナンス作業には足場が必要であって、陸上に立設した構築物の比較的低い場所では、高所作業車や地上から組み上げたパイプ製の足場を用いることで対処できる。しかしながら、地上高が数十メートルにもなる橋梁或いは海上や河川上に立設された橋梁等では上述のような手段では対処できず、橋梁に対して取り付けられた足場装置が必要となる。
【０００３】
この足場装置装置として、作業の進捗に伴って足場の位置を逐次移動できる移動式の作業足場装置を本件出願人が種々提案している。その一つとして、特公平５−５４５５１号公報に記載された従来例では、橋梁などの軸方向の変化、更には曲線橋梁などに対しても橋梁下の平面内を任意に移動できる移動足場装置が提案されている。
【０００４】
図７，８，９にて、上述の従来の移動足場装置を説明する。図７は係る移動足場装置を架設した高架道路等の構築物を斜め下から観た全体図であり、図８，９はこの移動足場装置の使用状態を示した説明図である。
【０００５】
この移動足場装置では、構築物１の下面の端梁材２からリブ２Ａが左右（幅）方向に張り出しているのを利用して、このリブ２Ａに対し橋梁材２の長さ方向に沿ってハンガーレール１１が万力１２により取り付けられている。ハンガーレール１１は、逆Ｔ字形の断面形状をしており、下面には波形のラック状歯１１ａが長さ方向に設けられている。なお、このラック状歯１１ａには図示しない駆動輪のピニオンやストップピンなどが噛合・係合する。
【０００６】
ハンガーレール１１には、複数の移動足場用吊持機２０が移動可能に装着されている。これらの吊持機２０は、横連結棒２８によって連動して移動するようになっている。また、吊持機２０には、縦連結子５０を介して移動足場用吊持機３０が吊持されている。そして、一対の吊持機３０には、この吊持機３０間の幅方向の間隔より長いトラスフレーム４０が支持されており、この一対の吊持機３０間に、トラスフレーム４０上部のガイドレール４１が左右方向移動可能に装着されている。なお、縦連結子５０は中間部分にスライド軸受が介挿されて、両端軸が相対回転可能なものである。
【０００７】
吊持機２０は、箱形のケーシング２１にハンガーレール１１を貫通する窓穴が開設されたものである。このケーシング２１には、ボルト２２が貫通した状態で螺合している。複数のボルト２２は対向して配設されており、それぞれ先端に車輪２３が回転可能に設けられている。そして、ボルト２２を後退させて車輪２３間を開いた状態でハンガーレール１１を窓穴に入れ、それからボルト２２を前進させてボルト２２間を狭めると、ハンガーレール１１が車輪２３間に納まって、車輪２３がハンガーレール１１の上面を転動する状態になる。このとき、吊持機２０は、ハンガーレール１１に装着されたままで移動できるものとなっている。
【０００８】
吊持機３０も、上下逆さで且つ鉛直線基準に９０°回っているが同様の構造である。すなわち、箱形のケーシング３１にガイドレール４１を貫通する窓穴が開設されており、このケーシング３１に複数のボルト３２が対向して貫通螺合しており、ボルト３２の先端に車輪３３がガイドレール４１の下面を転動することで、ガイドレール４１に装着されたままで移動できるものとなっている。
【０００９】
このような吊持機２０，３０によって吊持されたトラスフレーム４０の下辺棒４３には、長板状の足場板６０が、複数枚、端部のフックを係止して敷き詰められている。こうして布設された移動足場に乗って、構築物１の下面に対する必要なメンテナンス作業を行い、その部分の作業を終えると、その後は作業進行方向へ新たなハンガーレール１１を継ぎ足す。この際、収納自在な所謂オーバーハング足場を一時的に引き出し、この上に乗ってハンガーレールを延長連結する。そして、継ぎ足したハンガーレール１１側へ吊持機２０の作動等によって移動足場を移動させて再びメンテナンス作業を行う。
【００１０】
この従来の作業足場装置は、構築物の長手方向の両側に一対のハンガーレール１１を取り付け、このハンガーレール１１上を移動する複数の吊持機２０と、この各吊持機２０に対して水平面に沿って回転できる状態で連結されている第２の吊持機３０を備え、この第２の吊持機３０によってハンガーレール１１と交差する方向に移動可能にトラスフレーム４０を支持しているので、ハンガーレール１１と吊持機２０との移動機構及びトラスフレーム４０上に設けたガイドレール４１と第２の吊持機３０との移動機構によって、トラスフレーム４０に支持されている足場板が、構築物の長手方向に沿って移動できるばかりか、構築物の幅方向の変化にも追従でき、構築物下の平面上を任意の方向に移動可能できる構造になっている。
【００１１】
【発明が解決しようとする課題】
上述の従来例では、構築物下の一つの平面上は任意の方向に足場を移動可能にできるが、足場を垂直方向に移動させることができない。これに対して、図６に示すように、高架道路等の構築物１の床裏面には複数の梁材２を備えたものがあり、このような構築物の床裏面は垂直方向に凹凸形状になっている。このような構築物１に対して上述の移動足場装置を布設する場合には、梁材２の底面から下方に作業者が移動できるだけの距離Ｈ１を離した破線６０Ａの位置に足場を設置すると、足場から床裏面までの距離Ｈ２が作業不能な距離となってしまい、また、足場から床裏面までの距離Ｈ２を作業可能な距離に設定すると、梁材２の底面と足場までの距離Ｈ１が狭くなって、作業者が床裏面全体に渡って移動し難くなってしまうという不都合が生じる。
【００１２】
また、上述の状況に関わらず、構築物の形状によっては、一つの平面内で足場を移動可能にしただけでは作業不能となる領域が生じる場合が多々あり、構築物に布設される足場は長手方向と幅方向に任意に移動するのみでは不十分であるという問題があった。
【００１３】
本発明は、上述のような問題を解決するために提案されたものであって、構築物に布設される移動足場装置において、足場の位置を構築物の長手方向，幅方向に加えて垂直方向にも任意に移動可能にすることを目的とするものである。
【００１４】
【課題を解決するための手段】
上記目的を達成するために、本発明による移動足場装置は、構築物の長手方向に沿って、作業の進行に伴って逐次取り付けられる一対のハンガーレールを備え、該一対のハンガーレールのそれぞれに少なくとも一組の吊持機が移動可能に装着されてなり、上記吊持機のそれぞれには該吊持機に対して水平面に沿って回転可能に連結された第２の吊持機が装着され、この第２の吊持機によって上記ハンガーレールに対して立体交差する少なくとも一対のガイドレールが移動可能に吊持されてなる移動足場装置において、上記各ガイドレールには、ガイドレール上を水平方向に移動可能に支持される一対のスライド部材が設けられ、該スライド部材には垂直方向に配設された垂直支持材を上下に昇降し得る昇降機が連結されてなり、該昇降機によって上下に昇降自在に支持された上記垂直支持材間を水平梁材によって連結し、該水平梁材間に足場板を支持してなることを特徴とする。
【００１５】
上述の移動足場装置によると、まず、足場板は垂直支持材の上下への昇降に伴って垂直方向に自在に移動できる。また、垂直支持材自体がガイドレール上を水
平方向にスライドするスライド部材と連結した昇降機に支持されており、足場板は水平方向にも移動可能となっている。そして、上記のガイドレールは、上述した従来の移動足場装置と同様に、構築物の長手方向に沿って取り付けられたハンガーレールに移動可能に装着された吊持機及びこの吊持機に対して水平面に沿って回転可能に連結された第２の吊持機によって移動可能に吊持されているので、構築物下の特定の水平面上であれば任意の位置にガイドレールを配設することができる。
【００１６】
したがって、本発明の移動足場装置によると、足場板を構築物の長手方向に沿って移動できるばかりか、構築物の幅方向の変化にも追従でき、構築物下の平面上を任意の方向に移動可能できると共に、足場板を垂直方向及び水平方向に任意に移動させることができる。
【００１７】
【発明の実施の形態】
以下、本発明の実施例を図面を参照して説明する（なお、従来と同一の部分には同一の番号を付して一部説明を省略する。）。図１〜３は実施例の要部を示す説明図であって、図１が橋軸に対する横断面図、図２が平面図、図３が側面図である。
【００１８】
構築物の長手方向に沿って床裏面に設けられた橋梁材２のリブ２Ａに、一対のハンガーレール１１が装着される（図面では片側のみ示す。）。このハンガーレール１１のそれぞれに少なくとも一組の吊持機２０が移動可能に装着される。吊持機２０のそれぞれには吊持機２０に対して水平面に沿って回転可能に連結された第２の吊持機３０が装着される。上述のハンガーレール１１に対して立体交差する少なくとも一対のガイドレール４１を備えたトラスフレーム４０が、第２の吊持機３０によって移動可能に吊持されている。吊持機２０と第２の吊持機３０は縦連結子５０によって連結されている。
【００１９】
各ガイドレール４１には、ガイドレール４１上を水平方向に移動可能に支持される一対のスライド部材６０が設けられる。この左右一対のスライド部材６０は、支持材６１によって連結されており、この支持材６１間に昇降機７０が連結されている。また、左右一対の昇降機７０は支持材７１によって連結されている。７１は昇降機７０を駆動するモータであり、モータ７１の動力を駆動軸７２によって左右一対の昇降機７０のギヤ７３に伝達している。
【００２０】
８０は昇降機７０によって上下に昇降自在に支持された垂直支持材である。この垂直支持材８０には上記のギヤ７３に噛み合うラック状歯７３が設けられている。一方のガイドレール４１側の一対の垂直支持材８０間には水平なトラスフレーム８１が装着され、このトラスフレーム８１によって一対の垂直支持材８０が連結されている。そして、この水平に配置したトラスフレーム８１間に足場板８２が支持される。
【００２１】
次ぎに、図４によって、実施例の可動部分を詳細に説明する。
吊持機２０は、箱型のケーシング２１にハンガーレール１１上に載る車輪２３がその内側の空間に軸２２ａを介して取り付けられており、車輪２３の持つフランジがハンガーレール１１の側縁に沿っている。この車輪２３の下側の空間中にはラック状歯１１ａに噛み合うピニオン輪２８が軸２８ａによりケーシング２１に取り付けられている。そして、ピニオン輪２８の軸２８ａに設けた歯車２４に対してケーシング２１に設けたクランクハンドル２５の軸２５ａの歯車が噛み合い、これによってトルク伝達できるようになっている。ケーシング２１の側面にはラック状歯１１ａの幅方向に沿って窓孔２６が穿設されており、この窓孔２６にロックピン２７を挿入するとラック状歯１１ａの係止状態を保持できるようになっている。
【００２２】
また、吊持機２０の下端部には、第２の吊持機３０がスラスト軸受５１を介して縦連結子５０により吊持されている。スラスト軸受５１によって第２の吊持機３０は水平面内で自在に回転可能となっている。第２の吊持機３０のケーシング３１には、ピニオン輪３４，車輪３３が軸支され、ピニオン輪３４はガイドレール４１のラック状歯４２に噛み合い、車輪３３はそのガイドレール４１の下面に当接することで、ガイドレール４１上を第２の吊持機３０が移動可能となっている。ケーシング３１の側面には窓孔３６が穿設されており、この窓孔３６にロックピン３７を挿入するとラック状歯４２の係止状態を保持できるようになっている。
【００２３】
スライド部材６０は、第２の吊持機３０と同様の機構をなし、ケーシング６０ａには、ピニオン輪６２，車輪６３が軸支され、ピニオン輪６２はガイドレール４１のラック状歯４２に噛み合い、車輪６３はそのガイドレール４１の下面に当接している。図示を省略したがロックピン３７のようにスライド部材６０をガイドレール４１に固定する手段を必要に応じて備えている。
【００２４】
昇降機７０について説明すると、ケーシング７０ａに、ギヤ７３，車輪７４が軸支され、ギヤ７３は垂直支持材８０のラック状歯８０ａに噛み合い、車輪７４が垂直支持材８０の側面に当接して、ギヤ７３とラック状歯８０ａの噛合いを保持している。そして、ギヤ７３をモータ７１の駆動によって正逆回転させることによって、垂直支持材８０を上下に昇降させている。
【００２５】
次に実施例の移動足場装置の移動作業について説明する。先ず、構築物の橋梁材２のリブ２Ａに沿って適当な間隔で万力１２を介してハンガーレール１１を吊持する。ハンガーレール１１はメンテナンス作業の必要な箇所に順次装着されるが、このとき、一対のハンガーレール１１，１１の幅方向の間隔は一定である必要はなく、橋梁材２の形状に沿って配置される。このハンガーレール１１，１１に吊持機２０，第２の吊持機３０を介してガイドレール４１を備えたトラスフレーム４０を吊持させる。
【００２６】
このガイドレール４１はハンガーレール１１と立体的に交差するように必要な方向に配置されるが、この移動に当たっては、橋梁材２が平面視上曲線を描いているとき、または、橋梁材２の幅員寸法が拡張或いは縮幅している場合には、左右幅方向に配置される一対の吊持機２０並びに第２の吊持機３０の間隔は変化するが、ガイドレール４１のラック状歯４２に沿って第２の吊持機３０が移動する（第２の吊持機３０に対してガイドレール４１が相対的に移動する）ことでこの変化を吸収し、必要な位置に配置される。
【００２７】
特に、図５に示した橋脚Ｐと橋梁Ｂとが斜交交差する場合には、曲線内側の吊持機２０を、ロックピン２７を窓孔２６に挿入してラック状歯１１ａと係合させることで固定し、曲線外側の吊持機２０だけを移動させる。これによって、ガイドレール４１はその長さ方向と斜交する方向に移動し、他の橋脚Ｐに近接配置させ得る。このように、吊持機２０と第２の吊持機３０とを任意に移動させることによって、ガイドレール４１を構築物下の任意の位置に移動させることができる。
【００２８】
一対のガイドレール４１をメンテナンスが必要な位置に配置すると、これを支持する４箇所の吊持機２０，３０を、ロックピン２７，３７を窓孔２６，３６に挿入してラック状歯１１ａ，４２と係合させることで固定する。この状態で、ガイドレール４１上のスライド部材６０を移動させて、足場の水平面内での位置を定めてスライド部材６０をガイドレール４１に固定する。そして、その状態で、昇降機７０を駆動させて垂直支持材８０を上昇させ、トラスフレーム８１によって支持された足場板８２を所望の高さまで移動させる。
【００２９】
また、一定箇所のメンテナンス作業が終了すると、現在、橋梁材２に装着されているハンガーレールの先端に、新たにハンガーレール１１を継ぎ足し、この継ぎ足したハンガーレール１１に吊持機２０，３０を移行させて、上述の作業を繰り返す。
【００３０】
【発明の効果】
本発明は上記のように構成されるので、移動足場装置による足場を構築物の長手方向に沿って移動できるばかりか、構築物の幅方向の変化にも追従でき、構築物下の平面上を任意の方向に移動可能できると共に、足場を垂直方向及び水平方向に任意に移動させることができる。これによって、如何なる構築物の形態に対しても、移動足場装置を布設して、構築物のメンテナンス作業をスムースに行うことができる。
【図面の簡単な説明】
【図１】本発明の実施例の要部を示す説明図（橋軸に対する横断面図）。
【図２】本発明の実施例の要部を示す説明図（平面図）。
【図３】本発明の実施例の要部を示す説明図（側面図）。
【図４】本発明の実施例における可動部分を示す説明図。
【図５】本発明の実施例を説明する説明図。
【図６】本発明を説明する説明図。
【図７】従来例を示す説明図。
【図８】従来例を示す説明図。
【図９】従来例を示す説明図。
【符号の説明】
１１  ハンガーレール
２０  吊持機
３０  第２の吊持機
４０，８１  トラスフレーム
４１  ガイドレール
５０  縦連結子
６０  スライド部材
６１  支持材
７０  昇降機
７１  モータ
７２  駆動軸
７３  ギヤ
８０  垂直支持材
８２  足場板
【図１】
0003699270.tif 000002
【図２】
0003699270.tif 000003
【図３】
0003699270.tif 000004
【図４】
0003699270.tif 000005
【図５】
0003699270.tif 000006
【図６】
0003699270.tif 000007
【図７】
0003699270.tif 000008
【図８】
0003699270.tif 000009
【図９】
0003699270.tif 000010